(57)【要約】【課題】装置本体に挿抜自在に装着される画像形成用機能ユニットのメンテナンス履歴を含む固有情報を適切に管理する。【解決手段】主制御部１１は、機能ユニットの挿抜位置に係る挿抜位置情報を取得する挿抜位置情報取得部７１と、機能ユニットにおける挿抜位置の変位順序に係るバリエーションに対応付けて、当該機能ユニットの挿抜に係る状態を記憶する挿抜状態情報記憶部７３と、挿抜位置情報取得部７１で取得した挿抜位置情報と、挿抜状態情報記憶部７３の記憶内容と、に基づいて、当該機能ユニットの挿抜に係る状態を判定する挿抜状態判定部７５と、挿抜状態判定部７５における判定の結果、所定の順序に従う取り外し乃至装着が行われた旨の判定が下されたとき、当該機能ユニットの更新された挿抜回数を、ＩＤタグ６７に書き込ませる書き込み制御部７９と、を備えて構成されている。【選択図】  図３
2010072265.tif 000002
【特許請求の範囲】
【請求項１】
画像形成装置本体に物理的結合部材を介して挿抜自在に装着される画像形成用の機能ユニットと、
前記機能ユニットに設けられ、当該機能ユニットの挿抜回数を含む固有情報を記憶する機能を有するＩＤタグと、
前記機能ユニットが同装置本体に装着されている状態下で、前記ＩＤタグとの間で非接触のデータ交換を行う第１の通信制御手段と、
前記機能ユニットの挿抜位置に係る挿抜位置情報を取得する挿抜位置情報取得手段と、
当該機能ユニットにおける挿抜位置の変位順序に係るバリエーションに対応付けて、当該機能ユニットの挿抜に係る状態を記憶する挿抜状態情報記憶手段と、
前記挿抜位置情報取得手段で取得した挿抜位置情報と、前記挿抜状態情報記憶手段の記憶内容と、に基づいて、当該機能ユニットの挿抜に係る状態を判定する挿抜状態判定手段と、
前記挿抜状態判定手段における判定の結果、所定の順序に従う取り外し乃至装着が行われた旨の判定が下されたとき、当該機能ユニットに係る挿抜がなされたものとみなして、前記第１の通信制御手段に前記ＩＤタグとの間で非接触のデータ交換を行わせることによって、当該機能ユニットの更新された挿抜回数を前記ＩＤタグに書き込ませる書き込み制御手段と、
を備えたことを特徴とする画像形成装置。
【請求項２】
請求項１記載の画像形成装置であって、
前記装置本体側に設けられ、前記機能ユニットが同装置本体から取り外される過程にある状態下で、前記ＩＤタグとの間で非接触のデータ交換を行う第２の通信制御手段をさらに備え、
前記挿抜位置情報取得手段は、
前記第１の通信制御手段と前記ＩＤタグとの間における通信可否、及び、前記第２の通信制御手段と前記ＩＤタグとの間における通信可否に基づいて、前記機能ユニットの挿抜位置に係る挿抜位置情報を取得する、
ことを特徴とする画像形成装置。
【請求項３】
請求項１又は２に記載の画像形成装置であって、
前記書き込み制御手段は、
前記第１の通信制御手段に前記ＩＤタグとの間で非接触のデータ交換を行わせることによって、当該機能ユニットの保守時期を前記ＩＤタグに書き込ませる、
ことを特徴とする画像形成装置。
【請求項４】
請求項１〜３のうちいずれか一項に記載の画像形成装置であって、
前記機能ユニットは、定着ユニットである、
ことを特徴とする画像形成装置。
【請求項５】
請求項１〜４のうちいずれか一項に記載の画像形成装置であって、
前記機能ユニットは、給紙ユニットである、
ことを特徴とする画像形成装置。
【発明の詳細な説明】
【技術分野】
【０００１】
本発明は、複写機、プリンタ、ファクシミリ又はこれらの複合機を含む画像形成装置に係り、特に、装置本体に挿抜自在に装着される画像形成用機能ユニットそれ自身のメンテナンス履歴を含む固有情報を適切に管理し得る画像形成装置に関する。
【背景技術】
【０００２】
例えば、複写機、プリンタ、ファクシミリ又はこれらの複合機を含む画像形成装置においては、その使用に伴って、用紙やトナー等の消耗品の補給を含むメンテナンスを適時に行うことが求められる。このうち、トナー補給に係るメンテナンスの簡素化を図るために、トナー補給容器をカートリッジ化したり、現像器とトナー補給容器とを一体にカートリッジ化したり、さらには、感光体ドラム、現像器、トナー補給容器を一体化してカートリッジ化したものも出現している。
【０００３】
かかる画像形成用カートリッジにおいて、カートリッジ側にＩＤタグを設けておき、このＩＤタグと本体装置側の通信装置との間で非接触でのデータ交換を行うことにより、ＩＤタグにカートリッジのリサイクル時に役立つ情報の書き込みを行わせる技術が提案されている（特許文献１）。
【０００４】
しかしながら、特許文献１の従来技術では、装置本体に挿抜自在に装着される画像形成用機能ユニットにＩＤタグを設ける旨は記載されていない。このため、特許文献１に係る従来技術によっては、機能ユニットのメンテナンス履歴を含む固有情報を適切に管理することはできない。
【特許文献１】特開平２００１−２２２３０号公報
【発明の開示】
【発明が解決しようとする課題】
【０００５】
解決しようとする問題点は、装置本体に挿抜自在に装着される画像形成用機能ユニットのメンテナンス履歴を含む固有情報を適切に管理することはできなかった点である。
【課題を解決するための手段】
【０００６】
本発明は、装置本体に挿抜自在に装着される画像形成用機能ユニットのメンテナンス履歴を含む固有情報を適切に管理することを目的として、画像形成装置本体に物理的結合部材を介して挿抜自在に装着される画像形成用の機能ユニットと、前記機能ユニットに設けられ、当該機能ユニットの挿抜回数を含む固有情報を記憶する機能を有するＩＤタグと、前記機能ユニットが同装置本体に装着されている状態下で、前記ＩＤタグとの間で非接触のデータ交換を行う第１の通信制御手段と、前記機能ユニットの挿抜位置に係る挿抜位置情報を取得する挿抜位置情報取得手段と、当該機能ユニットにおける挿抜位置の変位順序に係るバリエーションに対応付けて、当該機能ユニットの挿抜に係る状態を記憶する挿抜状態情報記憶手段と、前記挿抜位置情報取得手段で取得した挿抜位置情報と、前記挿抜状態情報記憶手段の記憶内容と、に基づいて、当該機能ユニットの挿抜に係る状態を判定する挿抜状態判定手段と、前記挿抜状態判定手段における判定の結果、所定の順序に従う取り外し乃至装着が行われた旨の判定が下されたとき、当該機能ユニットに係る挿抜がなされたものとみなして、前記第１の通信制御手段に前記ＩＤタグとの間で非接触のデータ交換を行わせることによって、当該機能ユニットの更新された挿抜回数を前記ＩＤタグに書き込ませる書き込み制御手段と、を備えたことを最も主要な特徴とする。
【発明の効果】
【０００７】
本発明に係る画像形成装置では、挿抜位置情報取得手段は、機能ユニットの挿抜位置に係る挿抜位置情報を取得し、これを受けて挿抜状態判定手段は、挿抜位置情報取得手段で取得した挿抜位置情報と、挿抜状態情報記憶手段の記憶内容と、に基づいて、当該機能ユニットの挿抜に係る状態を判定する。挿抜状態判定手段における判定の結果、所定の順序に従う取り外し乃至装着が行われた旨の判定が下されたとき、書き込み制御手段は、当該機能ユニットに係る挿抜がなされたものとみなして、第１の通信制御手段にＩＤタグとの間で非接触のデータ交換を行わせることによって、当該機能ユニットの更新された挿抜回数をＩＤタグに書き込ませる。従って、例えば、装置本体に挿抜自在に装着される画像形成用機能ユニットのメンテナンス履歴を含む固有情報を記憶しているメモリ基板等になんらかの不具合が生じた場合であっても、かかる機能ユニットの挿抜毎に挿抜回数を含む固有情報が、機能ユニットに設けてあるＩＤタグに書き込まれることで二重化による分散管理が図られる結果として、保守乃至修理を行う際の重要データとして位置づけられる機能ユニットのメンテナンス履歴を含む固有情報を適切に管理することができる。
【発明を実施するための最良の形態】
【０００８】
装置本体に挿抜自在に装着される画像形成用機能ユニットのメンテナンス履歴を含む固有情報を適切に管理するといった目的を、挿抜状態判定手段における判定の結果、所定の順序に従う取り外し乃至装着が行われた旨の判定が下されたとき、当該機能ユニットに係る挿抜がなされたものとみなして、第１の通信制御手段にＩＤタグとの間で非接触のデータ交換を行わせることによって、当該機能ユニットの更新された挿抜回数をＩＤタグに書き込ませる書き込み制御手段により実現した。
【実施例】
【０００９】
以下、本発明実施例に係る画像形成装置について、図面を参照しつつ詳細に説明する。
【００１０】
［画像形成装置の概略構成］
図１は、本発明実施例に係る画像形成装置の機能ブロック図、図２は、本発明第１実施例に係る画像形成装置の主要部を拡大して示す説明図である。
【００１１】
本発明実施例に係る画像形成装置は、印刷出力、ファックス送信、メール送信、又はデータ送信に係る諸機能を遂行可能であり、マイクロコンピュータ及び専用のハードウェア回路等から構成される主制御部１１によって制御される。この主制御部１１に接続され諸機能を担う入出力機器として、画像形成装置は、スキャナ部２１、画像処理部３１、エンジン部４１、操作パネル部５１、ファクシミリ通信部６１、ＨＤＤ（ハードディスクドライブ）６２、ネットワークＩ／Ｆ（インタフェース）部６３、並びに、本発明において第１の通信制御手段として機能する第１ＲＦＩＤ基板６５などを備える。
【００１２】
主制御部１１は、スキャナ機能を実現するための動作制御を行うスキャナコントローラ１３と、ファクシミリ機能を実現するための動作制御を行うファクシミリコントローラ１５、プリンタ機能を実現するための動作制御を行うプリンタコントローラ１７、並びに、コピー機能を実現するための動作制御を行うコピーコントローラ１９を内蔵し、装置全体の動作を統括制御する。
【００１３】
スキャナ部２１は、スキャナを構成する図示しない画像照射ランプ２３及びＣＣＤ（電荷結合素子：Charge Coupled Device ）センサー２５を含む。スキャナ部２１は、画像照射ランプ２３により原稿を照射し、その反射光をＣＣＤセンサー２５で受光することにより、原稿から画像を読み取り、読み取った画像に対応する画像データを画像処理部３１へ出力する。
【００１４】
画像処理部３１は、補正部３３、画像加工部３５及び画像メモリ３７を含む。画像処理部３１は、スキャナ部２１で読み取られた画像データを必要に応じて補正部３３及び画像加工部３５により処理し、処理された画像データを画像メモリ３７に記憶したり、エンジン部４１、ファクシミリ通信部６１等へ出力する。補正部３３は、スキャナ部２１で読み取られた画像データに対してレベル補正、ガンマ補正等の所定の補正処理を行う。画像加工部３５は、画像データの圧縮又は伸張処理、及び拡大又は縮小処理等の種々の加工処理を行う。
【００１５】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない加圧ローラや定着ローラ等から構成される定着部４９を含む。エンジン部４１は、スキャナ部２１で読み取られた画像データ、ネットワークＩ／Ｆ部６３を介してＬＡＮ（Local Area Network）によりクライアントＰＣ（パーソナルコンピュータ）等から送信された画像データ、ファクシミリ通信部６１を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００１６】
操作パネル部５１は、タッチパネル部５３、及びテンキーやスタートキー等から構成される操作キー部５５を含む。操作パネル部５１は、各種機能を選択的に入力操作するための操作部であり、ユーザがスキャナ機能、ファクシミリ機能、プリンタ機能、コピー機能等に関する操作を行うために使用され、ユーザによる操作指令等を主制御部１１に与える。
【００１７】
タッチパネル部５３は、ジョブに係る入力操作画面を含む各種の画面を表示する機能を有しており、タッチパネルとＬＣＤ（Liquid Crystal Display）とを組み合わせたタッチパネルユニット等から構成されている。タッチパネル部５３は、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。
【００１８】
操作キー部５５は、例えば、コピー機能、プリンタ機能、スキャナ機能、ファクシミリ機能など諸機能のなかから、所要機能のキー入力操作をユーザが選択的に実行する際に用いられるとともに、ユーザが複写部数やコピー実行指令などを操作入力する際に用いられる。
【００１９】
ファクシミリ通信部６１は、符号化／復号化部（図示省略）、変復調部（図示省略）及びＮＣＵ（Network Control Unit）（図示省略）を含む。ファクシミリ通信部６１は、スキャナ部２１によって読み取られた原稿の画像データを電話回線を介してファクシミリ装置等へ送信したり、ファクシミリ装置等から送信された画像データを受信する。
【００２０】
ＨＤＤ（ハードディスクドライブ）６２は、スキャナ部２１によって読み取られた画像データ及び同画像データに設定されている出力形式等の種々のデータ等を記憶する。ＨＤＤ６２に記憶されている画像データは、画像形成装置内部で使用されるだけでなく、必要に応じて、ネットワークＩ／Ｆ部６３を介してクライアントＰＣ等から確認したり、クライアントＰＣやＦＴＰサーバ等の所定のフォルダへ転送される。
【００２１】
ネットワークＩ／Ｆ部６３は、ネットワークインタフェース（１０／１００Ｂａｓｅ−ＴＸ）等を用い、ＬＡＮを介して接続されたクライアントＰＣ等に対する種々のデータの送受信を制御し、例えば、クライアントＰＣ等から送信されてきた印刷データ等を受信する。
【００２２】
第１ＲＦＩＤ基板（本発明の「第１の通信制御手段」に相当する。）６５は、図２（１），（２）に示すように、本発明における機能ユニットの一態様である定着部４９の内部に設けられている。定着部４９の内部には、第１ＲＦＩＤ基板６５に対向する位置に、機能ユニット（定着部４９）の挿抜回数を含む固有情報を記憶する機能を有するＩＤタグ６７が設けられている。これにより、第１ＲＦＩＤ基板６５は、機能ユニット（定着部４９）が同装置本体に装着されている状態下で、ＩＤタグ６７との間で非接触のデータ交換を行う役割を果たす。
【００２３】
定着部４９は、装置本体における筐体８１に、物理的結合部材である一対のコネクタ部材８３，８５を介して挿抜自在に装着されている。この定着部４９と装置本体側との間は、一対のコネクタ部材８３，８５を介して電気的に接続されている。装置本体側には直流電源８７が設けられていて、この直流電源８７が、一対のコネクタ部材８３，８５を介して、第１ＲＦＩＤ基板６５に給電されている。なお、図２中の直流電源８７より連なる太い実線は電源ラインを示す。従って、定着部４９が装置本体から取り外されると、これと同時に、一対のコネクタ部材８３，８５の係合状態が解かれて、第１ＲＦＩＤ基板６５への電源供給が絶たれることになる。
【００２４】
機能ユニット（定着部４９）が同装置本体から取り外される過程で必ず通過する装置本体側の位置には、本発明で第２の通信制御手段として機能する第２ＲＦＩＤ基板６９が設けられている。第２ＲＦＩＤ基板６９には、直流電源８７からの直流電源が常時給電されている。従って、第２ＲＦＩＤ基板６９は、機能ユニット（定着部４９）が同装置本体から取り外される過程にある状態下（図２（２）参照）で、ＩＤタグ６７との間で非接触のデータ交換を行う役割を果たす。
【００２５】
さて、装置本体に挿抜自在に装着される機能ユニットのメンテナンス履歴を含む固有情報を適切に管理するために、図１に示すように、主制御部１１は、機能ユニットの挿抜位置に係る挿抜位置情報を取得する挿抜位置情報取得部（本発明の「挿抜位置情報取得手段」に相当する。）７１と、機能ユニットにおける挿抜位置の変位順序に係るバリエーションに対応付けて、当該機能ユニットの挿抜に係る状態を記憶する挿抜状態情報記憶部（本発明の「挿抜状態情報記憶手段」に相当する。）７３と、挿抜位置情報取得部７１で取得した挿抜位置情報と、挿抜状態情報記憶部７３の記憶内容と、に基づいて、当該機能ユニットの挿抜に係る状態を判定する挿抜状態判定部７５と、挿抜状態判定部７５における判定の結果、所定の順序に従う取り外し乃至装着が行われた旨の判定が下されたとき、当該機能ユニットに係る挿抜がなされたものとみなして、挿抜回数に係るカウント値をインクリメント更新させる挿抜回数計数部７７と、挿抜回数計数部７７における当該機能ユニットの更新された挿抜回数を、第１ＲＦＩＤ基板６５にＩＤタグ６７との間で非接触のデータ交換を行わせることによってＩＤタグ６７に書き込ませる書き込み制御部（本発明の「書き込み制御手段」に相当する。）７９と、を備えて構成されている。なお、挿抜位置情報取得部７１は、第１ＲＦＩＤ基板６５とＩＤタグ６７との間における通信可否、及び、第２ＲＦＩＤ基板６９とＩＤタグ６７との間における通信可否に基づいて、機能ユニット（定着部４９）の挿抜位置に係る挿抜位置情報を取得するように構成されている。
【００２６】
次に、本発明第１実施例に係る画像形成装置の、機能ユニットの取り外し乃至装着時における動作制御の流れについて、機能ユニットとして定着部４９を例示して説明する。
【００２７】
［機能ユニット（定着部４９）の取り外し乃至装着時における動作］
図３は、本発明第１実施例に係る画像形成装置に対する定着部４９の取り外し乃至装着時における動作フローチャート図、図４は、機能ユニットの状態が装着と取り外しとの間で遷移したときの、ＩＤタグ６７と、第１，第２ＲＦＩＤ基板６５，６９それぞれとの間の通信可否を示す説明図である。
【００２８】
図３に示すように、例えば、定着部４９におけるトラブル有無を確認しようと企図するメンテナンス員が、定着部４９の取り外し或いは装着に係るいずれかの操作を行うと（ステップＳ１１）、挿抜位置情報取得部７１は、第１ＲＦＩＤ基板６５とＩＤタグ６７との間における通信可否、及び、第２ＲＦＩＤ基板６９とＩＤタグ６７との間における通信可否に基づいて、機能ユニット（定着部４９）の挿抜位置に係る挿抜位置情報を取得する。
【００２９】
すなわち、着脱状態判定部７５は、挿抜位置情報取得部７１で取得した挿抜位置情報と、挿抜状態情報記憶部７３の記憶内容と、に基づいて、図４に示すように、第１ＲＦＩＤ基板６５とＩＤタグ６７との間が、通信可能状態から通信不能状態へと遷移（一対のコネクタ部材８３，８５の係合が解かれて、第１ＲＦＩＤ基板６５への電源供給が絶たれることに起因する。）するとともに、第２ＲＦＩＤ基板６９とＩＤタグ６７との間が、通信不能状態の後に短い通信可能状態を経て再び通信不能状態へと遷移（定着部４９が同装置本体から取り外される過程において、ＩＤタグ６７が第２ＲＦＩＤ基板６９と対向する位置まで移動することに起因する。）する事象を捉えて、定着部４９の取り外しに係る挿抜ありと認識することになる。
【００３０】
また一方、着脱状態判定部７５は、図４に示すように、第１ＲＦＩＤ基板６５とＩＤタグ６７との間が、通信不能状態から通信可能状態へと遷移（一対のコネクタ部材８３，８５の係合がなされて、第１ＲＦＩＤ基板６５への電源供給が再開されることに起因する。）するとともに、第２ＲＦＩＤ基板６９とＩＤタグ６７との間が、通信不能状態の後に短い通信可能状態を経て通信不能状態へと遷移（定着部４９が同装置本体へと装着される過程において、ＩＤタグ６７が第２ＲＦＩＤ基板６９と対向する位置まで移動することに起因する。）する事象を捉えて、定着部４９の装着に係る挿抜ありと認識することになる（ステップＳ１２，Ｓ１３）。
【００３１】
ステップＳ１３における挿抜状態判定の結果、定着部４９の取り外しに係る挿抜ありとの判定が下されたとき（ステップＳ１３の「取り外し」参照）、主制御部１１は、取り外しフラグの値に「１」をセットした後、処理の流れをステップＳ１１へと戻して、以下の処理を繰り返し実行させる。
【００３２】
さて一方、ステップＳ１３における挿抜状態判定の結果、定着部４９の装着に係る挿抜ありとの判定が下されたとき（ステップＳ１３の「装着」参照）、主制御部１１は、装着フラグの値に「１」をセットした後、取り外しフラグ及び装着フラグの値を参照して、定着部４９の取り外し後に装着がなされたのか否かに係る判定を行う（ステップＳ１６）。
【００３３】
ステップＳ１６における判定の結果、定着部４９の取り外し後に装着がなされたのではない旨の判定が下されたとき、主制御部１１は、処理の流れをステップＳ１１へと戻すと共に、取り外しフラグ及び装着フラグの値を「０」にリセットした後、以下の処理を順次実行させる。
【００３４】
さて一方、ステップＳ１６における判定の結果、定着部４９の取り外し後に装着がなされた旨の判定が下されたとき、主制御部１１は、定着部４９の取り外し乃至装着に係る挿抜がなされたものとみなして、挿抜回数に係るカウント値をインクリメント更新させる（ステップＳ１７）。
【００３５】
次いで、書き込み制御部７９は、挿抜回数計数部７７における定着部４９の更新された挿抜回数を、第１ＲＦＩＤ基板６５にＩＤタグ６７との間で非接触のデータ交換を行わせることによって、ＩＤタグ６７に書き込ませた後、一連の処理の流れを終了させる（ステップＳ１８）。なお、書き込み制御部７９は、ステップＳ１８における挿抜回数の書き込みに加えて、定着部４９の保守時期をＩＤタグ６７に書き込ませる構成を採用してもよい。
【００３６】
［実施例の効果］
以上詳細に説明したように、本発明実施例に係る画像形成装置によれば、例えば、定着部４９のメンテナンス履歴を含む固有情報を記憶している装置本体におけるメモリ基板等になんらかの不具合が生じた場合であっても、かかる定着部４９の挿抜毎に挿抜回数を含む固有情報が、定着部４９に設けてあるＩＤタグ６７に書き込まれることで二重化による分散管理が図られる結果として、保守乃至修理を行う際の重要データとして位置づけられる機能ユニットのメンテナンス履歴を含む固有情報を適切に管理することができる。
【００３７】
また、本発明実施例に係る画像形成装置によれば、挿抜回数の改ざんを強固に防止できること、一対のコネクタ部材８３，８５（物理的結合部材）に設定されている上限挿抜回数が厳守されて、物理的結合部材の接触不良を未然に防止できること、機能ユニットの使用回数を正確に把握できるため、資源の有効活用に繋がること、などの副次的な効果を期待することができる。
【００３８】
［その他］
なお、本発明は、上述した実施例に限られるものではなく、請求の範囲及び明細書全体から読み取れる発明の要旨、あるいは技術思想に反しない範囲で適宜変更可能であり、そのような変更を伴う画像形成装置もまた、本発明における技術的範囲の射程に包含されるものである。
【００３９】
具体的には、例えば、本発明第１実施例では、機能ユニットとしての定着部４９に、第１ＲＦＩＤ基板６５を設ける例をあげて説明したが、本発明はこの例に限定されることなく、図５に示すように、第１ＲＦＩＤ基板６５を、定着部４９が同装置本体に装着されている状態下で、ＩＤタグ６７との間で非接触のデータ交換を実行し得る装置本体側の位置に設ける（第２実施例）を採用することができる。
【００４０】
また、本発明第１実施例では、機能ユニットとして定着部４９を例示して説明したが、本発明はこの例に限定されることなく、機能ユニットとしては、給紙カセットをはじめとして、画像形成装置に搭載されて、画像形成装置本体に物理的結合部材を介して挿抜自在に装着される画像形成用の機能ユニットである限りにおいて、いかなる機能部材をも採用することができることはいうまでもない。
【図面の簡単な説明】
【００４１】
【図１】本発明実施例に係る画像形成装置の機能ブロック図である。
【図２】本発明第１実施例に係る画像形成装置の主要部を拡大して示す説明図である。
【図３】本発明第１実施例に係る画像形成装置に対する定着部４９の取り外し乃至装着時における動作フローチャート図である。
【図４】機能ユニットの状態が装着と取り外しとの間で遷移したときの、ＩＤタグ６７と、第１，第２ＲＦＩＤ基板６５，６９それぞれとの間の通信可否を示す説明図である。
【図５】本発明第２実施例に係る画像形成装置の主要部を拡大して示す説明図である。
【符号の説明】
【００４２】
１１  主制御部
４９  定着部（機能ユニット）
６５  第１ＲＦＩＤ基板（第１の通信制御手段）
６７  ＩＤタグ
６９  第２ＲＦＩＤ基板（第２の通信制御手段）
７１  挿抜位置情報取得部（挿抜位置情報取得手段）
７３  挿抜状態情報記憶部（挿抜状態情報記憶手段）
７５  挿抜状態判定部（挿抜状態判定手段）
７７  挿抜回数計数部
７９  書き込み制御部（書き込み制御手段）
８３，８５  一対のコネクタ部材（物理的結合部材）
【図１】
2010072265.tif 000003
【図２】
2010072265.tif 000004
【図３】
2010072265.tif 000005
【図４】
2010072265.tif 000006
【図５】
2010072265.tif 000007